(57)【要約】第１の製造プロセスの副産物として発生する廃棄物を第２の製品の空気連行混合材（ＡＥＡ）として使用すること。ある例では、それらの廃棄物は、セメントおよび／またはコンクリートの生成中に、空気連行混合材として使用することができ、また、シャンプーの製造の間に生成した廃棄物である可能性もある。非在来的な材料を従来の用途に空気連行混合材として使用すると、しばしば、従来の空気連行混合材に類似の性能特性を有する製品になるだろう。【特許請求の範囲】
【請求項１】
第１の製品の製造から生じる廃棄物を得ること、および
得られた廃棄物を第２の製品の生産に空気連行混合材として利用すること
を含む廃棄物を再利用する方法。
【請求項２】
前記廃棄物が液体である請求項１に記載の方法。
【請求項３】
前記廃棄物が８．０を超えるｐＨを有する請求項２に記載の方法。
【請求項４】
前記廃棄物が１０００ｍｇ／Ｌを超えるＢＯＤを有する請求項２に記載の方法。
【請求項５】
前記廃棄物が水、少なくとも１種の界面活性剤、および少なくとも１種の芳香料を含む請求項２に記載の方法。
【請求項６】
前記廃棄物が処理場のばっ気槽で発泡を起こさせる請求項１に記載の方法。
【請求項７】
前記廃棄物が石鹸またはシャンプーである請求項１に記載の方法。
【請求項８】
前記第１の製品が石鹸またはシャンプーである請求項１に記載の方法。
【請求項９】
前記第１の製品が人の皮膚または髪を洗うために使用されるようになされた製品である請求項１に記載の方法。
【請求項１０】
前記第２の製品がセメントを含み、前記廃棄物がそのセメントに使用されるクリンカーの少なくとも一部の生成に使用される請求項１に記載の方法。
【請求項１１】
前記廃棄物が前記クリンカーの仕上げ粉砕中に加えられる請求項１０に記載の方法。
【請求項１２】
前記第２の製品がコンクリートを含み、前記廃棄物がセメントおよび水と混合されてコンクリートを生成する請求項１に記載の方法。
【請求項１３】
前記第２の製品がコンクリートを含み、そのコンクリート中の実質的に全ての水が前記廃棄物からの水である請求項１に記載の方法。
【請求項１４】
前記廃棄物が次のもの、すなわち、規格に合わない材料、使用期間が切れた製品、および中止された製品の少なくとも１つを含む請求項１に記載の方法。
【請求項１５】
前記廃棄物がラインのパージ、掃除操作、および設備およびタンクのすすぎに使用された洗浄水を含む請求項１に記載の方法。
【請求項１６】
シャンプーの製造から生じる本質的にシャンプーまたは希釈されたシャンプーを含んでいる廃棄物を得ること、および
その得られた廃棄物を、クリンカーおよび水を含むコンクリートの生産において、クリンカーの一部として、またはクリンカーおよび水の他の１つの成分としてのいずれかでコンクリートに加えて、空気連行混合材として利用すること
を含む請求項１に記載の方法。
【請求項１７】
第１の製品の製造中に発生する廃棄物を空気連行混合材として含むセメント製品。
【請求項１８】
廃棄物の量が、セメントについて重量対重量基準でのセメントクリンカーの量の０．０５％〜０．７５％であるセメントを含む請求項１７に記載のセメント製品。
【請求項１９】
前記セメント製品がコンクリートである請求項１７に記載のセメント製品。
【請求項２０】
廃棄物の量がコンクリートに使用される重量対重量基準でのセメントの量の０．０５％〜３％である請求項１９に記載のコンクリート。
【請求項２１】
廃棄物の量がコンクリートに使用される重量対重量基準でのセメントの量の５％〜２０％である請求項１９に記載のコンクリート。
【請求項２２】
前記セメント製品がコンクリート構造物である請求項１７に記載のセメント製品。
【請求項２３】
前記セメント製品が焼成したシャンプー廃棄物を含むセメントである請求項１７に記載のセメント製品。
【請求項２４】
前記セメント製品がシャンプー廃棄物を含むコンクリートである請求項１７に記載のセメント製品。
【発明の詳細な説明】
【技術分野】
【０００１】
本出願は、全体として参照により本明細書に組み込まれている、「シャンプー廃棄物の再利用」という名称の、２００２年５月７日に出願された米国仮出願番号６０／３７９５５４号の特典を主張する。
【０００２】
本発明の分野は、廃棄物の再利用とコンクリートの生成である。
【背景技術】
【０００３】
シャンプー、ボディーソープ、ヘアコンディショナー、および類似のパーソナルケア製品の生産は、健康美容市場の重要な部門である。これらの製品は、一般的に、水、界面活性剤、芳香料、および専売成分から成り、社会全体に遍在している。そのような製品の製造は、一般に、食品工業または製薬工業に見られるのと同様の、厳密な品質管理手順、および高水準の衛生状態を必要とする。
【０００４】
多くのシャンプー生産設備では、通常、標準のバッチ操作で多くの類似製品を製造している。異なる品種の間で生産を切換えるとき、すべての設備を液抜きし、洗浄し、すすがなければならないのは珍しいことではない。シャンプー製造からの廃棄物は、通常、濃縮された形態または薄い形態であることがわかる。濃縮されたシャンプー廃棄物（シャンプー製品と同様）は、一般に、ラインの排水、規格に合わない材料、旧式の製品、中止された製品、および配合成分から生じる。希釈されたシャンプー廃棄物は、一般に、ラインの配合切換えパージ、掃除操作、設備およびタンクのすすぎの間に発生する「洗浄水」である。濃縮された形態および薄い形態の違いは、残留しているシャンプー製品の割合にある。洗浄水は、通常、１０％未満のシャンプー材料を有し、それに対して、濃縮形態の廃棄物は１０％を超えるシャンプー材料を有し、本質的には１００％のシャンプー材料である可能性がある。
【０００５】
薄い洗浄水は、通常、汚水管渠を通して処分され、したがって、公有処理場（ＰＯＴＷ）へ送られる。薄い廃棄物は、わずかに高いｐＨ、高い生化学的酸素要求量（ＢＯＤ）、泡、および臭気を有する。下水系への大量の放出は、流入水のｐＨを変えること、特に二次ばっ気槽で過度の泡立ちを生じること、流入水のＢＯＤ値が増加して処理容量を使い尽くすことにより、公有処理場にマイナスの影響を与える可能性がある。これらの影響は、排出者によって支払われる追加の下水料金によって相殺されることが多い。
【０００６】
濃縮廃棄物の処分は、よくても下水放出基準を、そして頻繁に有害廃棄物の定義を超える可能性がある非常に高いｐＨと成分濃度のため、より問題が多い。濃縮液は、生物検定評価により危険である可能性もある。シャンプー廃棄物の濃縮液は、通常、適切な認可工場で処分／破壊のためにメーカーと出荷されたオフサイトによって集められる。
【０００７】
薄いすすぎ廃棄物と濃縮廃棄物の両方を処分するためにメーカーにかかる費用はかなりのものである。設備および製造の設計は、バッチの変更操作中に廃棄物の発生が最少になるのを確実にするのに役立ち、品質管理手順が規格外材料の頻度を最小にするのに役立つ。それでも、かなりの量の廃棄物が毎年発生する。
【０００８】
ポルトランドセメントの製造は、世界中にセメントキルンがある世界的産業である。１億トン以上のセメントが毎年生産されている。セメントの製造には、様々な鉱物が使用され、それら鉱物は、混合され、研摩され、焼成されると、セメントクリンカーとして知られている中間体を生成する。カルシウム、アルミニウム、鉄、およびシリカが、セメントクリンカーの主要な基本成分である。クリンカーは、加えられたわずかな割合の石こうと共に細かく粉砕されて、普通ポルトランドセメント（ＯＰＣ）を生産する。セメント規格はセメントの化学と属性を示している。セメントは、水、砂、およびたぶん骨材を混ぜると、硬化して、コンクリートと呼ばれる硬化した材料を生成する。骨材を含まないコンクリートは、グラウトまたはモルタルと呼ばれることが多い。米国材料試験協会（ＡＳＴＭ）は、それぞれ異なった一組の性能規格を用いて、多くのセメントの種類を識別している。
【０００９】
粉砕操作の間に普通ポルトランドセメントに加えられる材料、またはコンクリートを調製しているときに加えられる材料により、建築業者にとって重要な特別な特性を付与することができる。機能の付加物の１つは空気連行混合材（ＡＥＡ）である。空気連行混合材を、セメントクリンカーの粉砕中に加えることができ、または普通ポルトランドセメントにコンクリート配合表の一部として加えることができる。空気連行混合材は、湿式段階の間にコンクリートのマトリクスに小さな空気の泡を形成し、この泡は硬化および養生の間維持される。空気連行コンクリートは、耐霜性が重要である用途、モルタルとして使用されるときの用途、化粧しっくいの用途、またはワーカビリティーが重要である用途には、普通ポルトランドセメントから生成されるコンクリートより優れている。空気連行ポルトランドセメントは、付加価値のある材料であり、普通ポルトランドセメントよりかなり高い価格で販売されている。
【００１０】
空気連行ポルトランドセメントおよび空気連行混合材は、１９５０年代前半以来ずっとセメント産業の中で広く使用されている。特許を取るか、または事実上独占である特定の処方を有する多くの種類が市販されている。空気連行混合材として使用される材料には、１．木材樹脂の塩、２．合成洗剤、３．スルホン化リグニンの塩、石油酸の塩、脂肪酸または樹脂酸とそれらの塩が含まれる。空気連行ポルトランドセメントおよび空気連行コンクリートの製造は、よく知られ、認められた技術である。
【００１１】
空気連行は、特別に調製されたモルタルのサンプル中にある空気の割合として測定される。試験プロトコルは、ＡＳＴＭ  Ｃ１８５、「水硬セメントモルタルの空気含有量の試験方法」などで十分規定されている。参照の目的では、普通ポルトランドセメントは、しばしば約６％の空気を連行しており、空気連行混合材ポルトランドセメントは、しばしば最大２５％まで空気連行している。意図された使用および性能基準に基づいた製造により、連行する空気の割合が決まる。
【００１２】
コンクリートに関するそれ以上の情報は、Ｓａｎｄｏｒ  Ｐｏｐｏｖｉｃｓによる「コンクリート材料−特性、規格、および試験」という表題の、１９９２年にＮｏｙｅｓ  Ｐｕｂｌｉｃａｔｉｏｎによって出版された研究（全体として参照により本明細書に組み込まれている）で見つけることができる。
【発明の開示】
【発明が解決しようとする課題】
【００１３】
本発明は、第１の製造プロセスの副産物として発生する廃棄物を、第２の製品の空気連行混合材として使用することを対象にしている。ある例では、それらの廃棄物は、セメントおよび／またはコンクリートの生成中に、空気連行混合材として使用することができ、また、シャンプー製造の間に生成した廃棄物である可能性もある。従来のものではない材料を従来の用途に空気連行混合材として使用すると、しばしば、従来の空気連行混合材に類似の性能特性を有する製品になることが企図される。
【課題を解決するための手段】
【００１４】
本発明の様々な目的、特徴、態様、および利点は、同じ数字が同じ成分を表す添付図面と共に、本発明の好ましい実施形態の以下の詳述な説明からより明らかになるだろう。
【発明を実施するための最良の形態】
【００１５】
図１を参照して、廃棄物を再利用する方法１００は、第１の製品の製造から生じる廃棄物を得るステップ１１０、およびその得た廃棄物を第２の製品の生産に空気連行混合材として利用するステップ１２０を含む。
【００１６】
第１の製品
第１の製品は、廃棄物がその製品の生産の間に発生するどんな製品であってもよい。しかしながら、その廃棄物は、個人的な使用向けの石鹸またはシャンプーである製品の場合に、空気連行混合材としてより適当でありそうな可能性があると考えられる。本明細書で使用される「個人的な使用向け」という句は、その使用が人の皮膚または髪を洗うことに関することを示す。シャンプーには、その用語が本明細書で使用されるとき、髪と頭皮を洗うのに使用される石鹸または洗剤の様々な液体またはクリーム調合剤（すなわち、個人的な使用向け）のどれでも、および敷物、室内装飾用品、または車のための様々な洗浄剤のどれでも含まれる。空気連行混合材として適当な廃棄物を含むと考えられる他の製品には、たとえそれらの製品が個人的な使用向けに設計されていないとしても、石鹸、洗剤、および類似の製品の製造からの廃棄物の残渣が含まれる。そういうものとして、食器洗浄機の石鹸、洗濯洗剤、および敷物洗浄剤のような製品の生産が、空気連行混合材として適当な廃棄物を発生させる可能性がある。起泡剤を含む製品の生産中に発生する廃棄物も起泡剤を含み、空気連行混合材として使用するのに特によく適しているらしいので、起泡剤を含むどんな製品も適している可能性があると考えられる。
【００１７】
廃棄物
廃棄物は、第１の製品の生産の副産物であり、第２の製品を生産するのに空気連行混合材として使用するのにも適しているどんな材料であってもよい。空気連行混合材として使用するのに適している廃棄物には、必要とする規格に合わなかった、耐用年数を超えて古くなった、またはもはや売りに出されない多量の第１の製品が含まれるだろうと考えられる。空気連行混合材に適している廃棄物には、そのようなライン、設備、およびタンクが第１の製品の生産に使用されているラインのパージ、掃除操作、設備およびタンクのすすぎに使用される洗浄水と混じっている多量の第１の製品または第１の製品の成分が含まれることも考えられる。
【００１８】
空気連行混合材に適していることが企画される他の廃棄物には、石鹸および洗剤の製造からの廃棄物の残渣、または起泡剤を含む他の製品が含まれる。
【００１９】
本明細書に開示されている方法は、処分するときに問題となる特性、または空気連行混合材として使用するのに特に適したものにする特性を廃棄物が有する場合に、特に有利であるだろうと考えられる。いくつかの考えられる特性には、その廃棄物が液体であること、その廃棄物が８．０を超えるｐＨを有すること、その廃棄物が１０００ｍｇ／Ｌを超えるＢＯＤを有すること、その廃棄物は処理場のばっ気槽において発泡を起しそうであること、および、その廃棄物は毒性化合物または規制化合物をまったく含まないことが含まれる。
【００２０】
既に論じたように、石鹸またはシャンプーを含む廃棄物は、本明細書に開示されている方法および材料で空気連行混合材として使用するのに特に適していると考えられる。そのような石鹸、洗剤、またはシャンプーの中には、水、少なくとも１つの界面活性剤、および少なくとも１つの芳香料を含むことを特徴とすることができるものもあると考えられる。他のそのような石鹸および／またはシャンプーは、水、少なくとも１つの界面活性剤およびケイ酸ナトリウムを含むことを特徴とすることができる。
【００２１】
廃棄物を得ること
廃棄物を得ることは、第２の製品の生産において空気連行混合材として使用するのに利用できる廃棄物を作るどんな方法でも達成される可能性がある。しかしながら、廃棄物を得ることは、以下の節に記述するステップの１つまたは複数を含むのが有利である可能性があると考えられる。
【００２２】
廃棄物を得る１つの方法は、単に、必要とする規格を満たさない、耐用年数を超えて古くなった、またはもはや売りに出されない多量の第１の製品を取得することである。単にそのような製品を処分する代わりに、それを、集め、輸送して、空気連行混合材として使用する。その使用の前に、それを、第２の製品の生産において空気連行混合材として使用するのにより適した形態にするために追加処理ステップにかけることができる。
【００２３】
廃棄物のシャンプー、石鹸、または洗剤を蓄積する別の方法は、貯蔵容器、混合容器、導管、またはパイプから残渣を除去することである。多様な製品が同じ配合の設備ラインを使用して生産される場合、配合の切り換えの間に、そのような材料が利用可能である。その配合の設備を掃除するのに使用される洗浄水の蓄積から、より薄い製品を得ることができる。  洗剤、石鹸、食器洗浄機の洗浄液または食器洗剤を含む廃棄物を得ることは、しばしば同様な蓄積の仕組みに関係するだろうということが考えられる。
【００２４】
第２の製品
空気連行混合材として廃棄物を使用することができる生産の間、第２の製品はどんな製品であってもよい。廃棄物を第２の製品に含むことによる廃棄物の処分が唯一の望ましい利益である可能性があるので、空気連行混合材として廃棄物を使用することが、実際に、第２の製品に明白な影響を有する必要はないということに注目することが重要である。しかしながら、多くの製品が廃棄物を空気連行混合材として含むことから実際に利益を得ると考えられる。そのような製品には、ポルトランドセメント、コンクリートおよびコンクリートから得られた製品、プレキャストコンクリートの物体、寒冷な気候への露出に備えて設計されたコンクリート、化粧しっくい、モルタル、およびグラウトがある。
【００２５】
第２の製品の生産への廃棄物の利用
第２の製品の生産に空気連行混合材として廃棄物を使用する実際の方法は、主として生産される第２の製品の違いと関連して、実施形態間で異なるだろう。そういうものとして、第２の製品がセメントであれば、クリンカーの生成中、おそらくクリンカーの粉砕中に、その空気連行混合材を組み込むことができる。濃縮されたシャンプー廃棄物を、セメントクリンカーの粉砕中に含ませることによってセメントの生産に使用する場合、添加率は、一般的に、クリンカーに対して重量対重量基準で０．０５〜０．７５％になるだろう。その結果生じるセメントは、空気連行特徴を有し、外観が普通ポルトランドセメントまたは他の任意の空気連行ポルトランドセメントとも同様な乾燥粉末である。添加率が完成製品の性能要件に一部基づいており、したがって、実際の添加率はおそらく変化するだろうということに注意すべきである。
【００２６】
また、空気連行混合材をコンクリートの中に組み込む場合には、一般的には、砂、骨材、ポルトランドセメント、および水を混合して湿ったコンクリートを生成するバッチ操作の一部として添加されることになる。その湿ったコンクリートは据え付けられ、硬化するようにされる。シャンプー廃棄物を、補給水に加えるか、または混合操作中の混合物に直接加えてもよい。濃厚なシャンプー廃棄物をコンクリートの生産に使用する場合、その廃棄物を、コンクリートに使用されるポルトランドセメントに対して重量対重量基準で０．０５〜３．０％の割合で加えるのが好ましい。希釈されたシャンプー廃棄物（すなわち、洗浄水）をコンクリートの生産に使用する場合、その廃棄物がコンクリート混合物の体積基準で３〜２０％であるのが好ましい。薄いシャンプー洗浄水の廃棄物を、同様にまたは代わりに、混合水に加えるか、またはその混合水と交換することもできる。
【００２７】
もし第２の製品がコンクリートおよびコンクリートから得られた製品、プレキャストコンクリートの物体、冷たい気候への露出に備えて設計されたコンクリート、化粧しっくい、モルタル、およびグラウトであるならば、その薄い廃棄物は第２の製品用の補給水の一部として使用されるだろうと考えられる。
【００２８】
本明細書の方法を使用して生産される製品の特性
本明細書の方法の使用を、以下の１つまたは複数であることを特徴とできる製品を生産するために適用すると好都合のことがあると企図される。すなわち、
（ａ）第１の製品の製造中に発生した廃棄物を空気連行混合材として含み、おそらくセメントの重量対重量基準でセメントクリンカーの量の０．０５〜０．７５％である量の廃棄物を有する空気連行セメント、
（ｂ）第１の製品の製造中に発生する廃棄物を空気連行混合材として含み、おそらくコンクリートに使用される重量対重量基準でのセメント量の０．０５〜３％の量の廃棄物を有するか、またはおそらくコンクリートに使用される重量対重量基準でのセメント量の３〜２０％の量の廃棄物を有するコンクリート、
（ｃ）焼成したシャンプー廃棄物を含むセメント、
（ｄ）シャンプー廃棄物を含むコンクリート、および
（ｅ）上記のセメントまたはコンクリートのいずれかを含む構造物。
【実施例１】
【００２９】
濃縮されたシャンプー廃棄物のセメントの生産への利用
１つの例では、多量のシャンプー廃棄物を以下の方法で得て、使用した。すなわち、多量の空気連行塑性型ポルトランドセメントを、５０００ガロンのシャンプー廃棄物を７０００トンのポルトランドセメントクリンカーに入れて一緒に粉砕することによって製造し、変性して塑性セメントの規格を満たした。製造したセメント（第２の製品）を袋に詰め、バルクの形で販売した。
【実施例２】
【００３０】
薄いシャンプー廃棄物のコンクリートの生産への利用
別の例では、多量の薄いシャンプー廃棄物を以下の方法で得て、使用することができると考えられる。すなわち、１８０ガロンのその薄い廃棄物を６４３ポンドの普通ポルトランドセメントに加える。その混合物に、１７０７ポンドの粗骨材（２〜３％の含水量）と１３１０ポンドの砂（６％の含水量）が加える。その結果生じる１立方ヤードのコンクリート（２番目の製品）は優れた凍結融解性能属性を有するだろう。
【００３１】
したがって、空気連行混合材として再利用された廃棄物の特定の実施形態と用途が開示された。しかしながら、本明細書中の発明概念から逸脱することなく、既に説明されたそれら以外にずっと多くの変更が可能であることは、当分野の技術者に明らかであろう。したがって、添付の特許請求の範囲の精神において以外は、発明の主題が制限されることにならない。また、明細書および特許請求の範囲の両方を解釈する際に、すべての用語が文脈と一致した最も広い可能な方法で解釈されるべきである。特に、「含む（ｃｏｍｐｒｉｓｅｓ）」および「含んでいる（ｃｏｍｐｒｉｓｉｎｇ）」の用語は、非排他的な要素、成分、またはステップと解釈されるべきであり、参照した要素、成分、またはステップが存在し、または利用され、または明白に参照されていない他の要素、成分、またはステップと組み合わされているということを示している。
【図面の簡単な説明】
【００３２】
【図１】は本発明を具体化する最初の方法の図である。
【図１】
2005532244.tif 000002
【手続補正書】
【提出日】平成15年3月3日(2003.3.3)
【手続補正１】
【補正対象書類名】特許請求の範囲
【補正対象項目名】全文
【補正方法】変更
【補正の内容】
【特許請求の範囲】
【請求項１】
第１の製品の製造から生じる液体廃棄物を得ること、および
得られた廃棄物を第２の製品の生産に空気連行混合材として利用すること
を含む液体廃棄物を再利用する方法。
【請求項２】
前記廃棄物が８．０を超えるｐＨを有する請求項１に記載の方法。
【請求項３】
前記廃棄物が１０００ｍｇ／Ｌを超えるＢＯＤを有する請求項１に記載の方法。
【請求項４】
前記廃棄物が水、少なくとも１種の界面活性剤、および少なくとも１種の芳香料を含む請求項１に記載の方法。
【請求項５】
前記廃棄物が処理場のばっ気槽で発泡を起こさせる請求項１に記載の方法。
【請求項６】
前記廃棄物が石鹸またはシャンプーである請求項１に記載の方法。
【請求項７】
前記第１の製品が石鹸またはシャンプーである請求項１に記載の方法。
【請求項８】
前記第１の製品が人の皮膚または髪を洗うために使用されるようになされた製品である請求項１に記載の方法。
【請求項９】
前記第２の製品がセメントを含み、前記廃棄物がそのセメントに使用されるクリンカーの少なくとも一部の生成に使用される請求項１に記載の方法。
【請求項１０】
前記廃棄物が前記クリンカーの仕上げ粉砕中に加えられる請求項１０に記載の方法。
【請求項１１】
前記第２の製品がコンクリートを含み、前記廃棄物がセメントおよび水と混合されてコンクリートを生成する請求項１に記載の方法。
【請求項１２】
前記第２の製品がコンクリートを含み、そのコンクリート中の実質的に全ての水が前記廃棄物からの水である請求項１に記載の方法。
【請求項１３】
前記廃棄物が次のもの、すなわち、規格に合わない材料、使用期間が切れた製品、および中止された製品の少なくとも１つを含む請求項１に記載の方法。
【請求項１４】
前記廃棄物がラインのパージ、掃除操作、および設備およびタンクのすすぎに使用された洗浄水を含む請求項１に記載の方法。
【請求項１５】
シャンプーの製造から生じる本質的にシャンプーまたは希釈されたシャンプーを含んでいる廃棄物を得ること、および
その得られた廃棄物を、クリンカーおよび水を含むコンクリートの生産において、クリンカーの一部として、またはクリンカーおよび水の他の１つの成分としてのいずれかでコンクリートに加えて、空気連行混合材として利用すること
を含む請求項１に記載の方法。
【請求項１６】
第１の製品の製造中に発生する廃棄物を空気連行混合材として含むセメント製品。
【請求項１７】
廃棄物の量が、セメントについて重量対重量基準でのセメントクリンカーの量の０．０５％〜０．７５％であるセメントを含む請求項１６に記載のセメント製品。
【請求項１８】
前記セメント製品がコンクリートである請求項１６に記載のセメント製品。
【請求項１９】
廃棄物の量がコンクリートに使用される重量対重量基準でのセメントの量の０．０５％〜３％である請求項１８に記載のコンクリート。
【請求項２０】
廃棄物の量がコンクリートに使用される重量対重量基準でのセメントの量の５％〜２０％である請求項１８に記載のコンクリート。
【請求項２１】
前記セメント製品がコンクリート構造物である請求項１６に記載のセメント製品。
【請求項２２】
前記セメント製品が焼成したシャンプー廃棄物を含むセメントである請求項１６に記載のセメント製品。
【請求項２３】
前記セメント製品がシャンプー廃棄物を含むコンクリートである請求項１６に記載のセメント製品。
【手続補正書】
【提出日】平成16年4月7日(2004.4.7)
【手続補正１】
【補正対象書類名】特許請求の範囲
【補正対象項目名】全文
【補正方法】変更
【補正の内容】
【特許請求の範囲】
【請求項１】
第１の製品の製造から生じる液体廃棄物を得ること、および
得られた液体廃棄物を第２の製品の生産に空気連行混合材として利用すること
を含み、利用するステップには、（ｉ）前記液体廃棄物をセメントクリンカーの粉砕段階に組み込むこと、および（ｉｉ）少なくとも部分的に、コンクリートと水の混合物を前記液体廃棄物と交換することの１つが含まれる廃棄物を再利用する方法。
【請求項２】
前記廃棄物が８．０を超えるｐＨを有する請求項１に記載の方法。
【請求項３】
前記廃棄物が１０００ｍｇ／Ｌを超えるＢＯＤを有する請求項１に記載の方法。
【請求項４】
前記廃棄物が水、少なくとも１種の界面活性剤、および少なくとも１種の芳香料を含む請求項１に記載の方法。
【請求項５】
前記廃棄物が処理場のばっ気槽で発泡を起こさせる請求項１に記載の方法。
【請求項６】
前記廃棄物が石鹸またはシャンプーである請求項１に記載の方法。
【請求項７】
前記第１の製品が石鹸またはシャンプーである請求項１に記載の方法。
【請求項８】
前記第１の製品が人の皮膚または髪を洗うために使用されるようになされた製品である請求項１に記載の方法。
【請求項９】
前記第２の製品がセメントを含み、前記廃棄物がそのセメントに使用されるクリンカーの少なくとも一部の生成に使用される請求項１に記載の方法。
【請求項１０】
前記廃棄物が前記クリンカーの仕上げ粉砕中に加えられる請求項１０に記載の方法。
【請求項１１】
前記第２の製品がコンクリートを含み、前記廃棄物がセメントおよび水と混合されてコンクリートを生成する請求項１に記載の方法。
【請求項１２】
前記第２の製品がコンクリートを含み、そのコンクリート中の実質的に全ての水が前記廃棄物からの水である請求項１に記載の方法。
【請求項１３】
前記廃棄物が次のもの、すなわち、規格に合わない材料、使用期間が切れた製品、および中止された製品の少なくとも１つを含む請求項１に記載の方法。
【請求項１４】
前記廃棄物がラインのパージ、掃除操作、および設備およびタンクのすすぎに使用された洗浄水を含む請求項１に記載の方法。
【請求項１５】
シャンプーの製造から生じる本質的にシャンプーまたは希釈されたシャンプーを含んでいる廃棄物を得ること、および
その得られた廃棄物を、クリンカーおよび水を含むコンクリートの生産において、クリンカーの一部として、またはクリンカーおよび水の他の１つの成分としてのいずれかでコンクリートに加えて、空気連行混合材として利用すること
を含む請求項１に記載の方法。
【請求項１６】
請求項１に記載の使用して製造したセメント製品。
【請求項１７】
廃棄物の量が、セメントについて重量対重量基準でのセメントクリンカーの量の０．０５％〜０．７５％であるセメントを含む請求項１６に記載のセメント製品。
【請求項１８】
前記セメント製品がコンクリートである請求項１６に記載のセメント製品。
【請求項１９】
廃棄物の量がコンクリートに使用される重量対重量基準でのセメントの量の０．０５％〜３％である請求項１８に記載のコンクリート。
【請求項２０】
廃棄物の量がコンクリートに使用される重量対重量基準でのセメントの量の５％〜２０％である請求項１８に記載のコンクリート。
【請求項２１】
前記セメント製品がコンクリート構造物である請求項１６に記載のセメント製品。
【請求項２２】
前記セメント製品が焼成したシャンプー廃棄物を含むセメントである請求項１６に記載のセメント製品。
【請求項２３】
前記セメント製品がシャンプー廃棄物を含むコンクリートである請求項１６に記載のセメント製品。
【国際調査報告】
2005532244.tif 000003